Podtech/llm-jp-corpus-v4-ja_patent huggingface dataset:
(57)【要約】      （修正有）【課題】コンパクト画像センサーモジュールの提供。【解決手段】コンパクト画像センサーは、主に基板に上表面と下表面を設ける；チップ、基板の上表面に設ける、フランジ層、基板の上表面に設ける、４本突起棒、基板の上表面フランジ層の四つ隅に設ける；複数の導線、複数の導線、チップの半田パッドによって、基板に設ける；透光層、四つの突起棒に設けて、チップを被せる。【選択図】図２
0003120043.tif 000002
【実用新案登録請求の範囲】
【請求項１】
一種のコンパクト画像センサーモジュール構造において、基板、チップ、フランジ層、４本突起棒、複数の導線及び透光層を包含し、
基板は上表面と下表面を設け、上表面の中央場所にチップ収容区域を設けて、チップ収容区域の周りに複数の第１電極を形成し、下表面に複数の第２電極を第１電極に対応して接続し、
チップは基板の上表面のチップ収容区域場所に設け、その上部に検出区域を設け、検出区域の周りに複数の半田パッドを設け、
フランジ層は基板の上表面に設け、チップ収容区域と第１電極を囲み、
４本突起棒は基板の上表面に設け、フランジ層の四つ隅に設け、
複数の導線はチップの半田パッドによって、基板の第１電極に設け、チップの信号は基板の上表面周りに設ける第１電極によって、下表面の第２電極に伝送し、
透光層は４本突起棒を被せて、チップを覆うことを特徴とする、コンパクト画像センサーモジュール。
【請求項２】
請求項１記載のコンパクト画像センサーモジュールにおいて、４本突起棒の高さはフランジ層より低く設けることを特徴とする、コンパクト画像センサーモジュール。
【考案の詳細な説明】
【技術分野】
【０００１】
本考案はコンパクト画像センサーに関わるもので、特に一種の製品寸法を有効に小さくできる。
【背景技術】
【０００２】
図１に示すものは、一種の画像センサー構造である。基板、第１表面と第２表面を設け、第１表面の周りに第２電極を設け、第１電極と第２電極は基板側面の導線に沿って導線と導通する。フランジ層、上表面と下表面を設け、下表面は基板上の第１表面に接着し、基板と収容室を形成する。画像検出チップ、複数の半田パッドをその周りに設け、基板とフランジ層より形成する収容室に設けて、基板上の第１表面に固定する。複数本の導線、第1端と第２端を設け、第1端は画像検出チップと電気接続し、第２端は基板上の第１電極と電気接続する。透光層、フランジ層の上表面に設ける。
【０００３】
前記の画像センサーを製造するとき、透光層はフランジ層の上部に設けるため、製品の体積が大きくなる。さらに、鏡台の側面は透光層を覆って、透光を防止しているため、体積がもっと大きくなる。
【考案の開示】
【考案が解決しようとする課題】
【０００４】
本考案の主な目的は、簡単に製造でき、かつ、生産コストの軽減を図り、より実用的、一種のコンパクトな画像センサーを提供する。
【０００５】
本考案のさらに一つの目的は、包装寸法を小さくして、より実用的、一種のコンパクトな画像センサーを提供する。
【０００６】
前記の目的を実現するため、本考案は基板、上表面と下表面を設ける。チップ、基板の上表面に設ける。フランジ層、基板の上表面に設ける。４本突起棒、基板の上表面のフランジ層四つの隅に設ける。複数本の導線、チップの半田パッドによって、基板に電気接続する。透光層、４本突起棒に被せて、チップを覆う。
【０００７】
透光層を４本突起棒に設けることにより、製品寸法を小さくして、コンパクトにする目的を実現する。
【課題を解決するための手段】
【０００８】
請求項１の考案は、一種のコンパクト画像センサーモジュール構造において、基板、チップ、フランジ層、４本突起棒、複数の導線及び透光層を包含し、
基板は上表面と下表面を設け、上表面の中央場所にチップ収容区域を設けて、チップ収容区域の周りに複数の第１電極を形成し、下表面に複数の第２電極を第１電極に対応して接続し、
チップは基板の上表面のチップ収容区域場所に設け、その上部に検出区域を設け、検出区域の周りに複数の半田パッドを設け、
フランジ層は基板の上表面に設け、チップ収容区域と第１電極を囲み、
４本突起棒は基板の上表面に設け、フランジ層の四つ隅に設け、
複数の導線はチップの半田パッドによって、基板の第１電極に設け、チップの信号は基板の上表面周りに設ける第１電極によって、下表面の第２電極に伝送し、
透光層は４本突起棒を被せて、チップを覆うことを特徴とする、コンパクト画像センサーモジュールとしている。
請求項２の考案は、請求項１記載のコンパクト画像センサーモジュールにおいて、４本突起棒の高さはフランジ層より低く設けることを特徴とする、コンパクト画像センサーモジュールとしている。
【考案の効果】
【０００９】
本考案の画像センサーモジュールの包装を思案し、良品率の向上、製品包装をよりコンパクトにすることができる。
【考案を実施するための最良の形態】
【００１０】
図２に示すものは、本発明のコンパクト画像センサーモジュールの断面図である。基板５０、チップ５２、フランジ層５４、４本突起棒５６、複数本の導線５８、透光層６０を設ける。そのうち、
基板５０に上表面６６と下表面６８を設け、上表面６６の中央場所にチップ収容区域７０を設け、このチップ収容区域７０の周りに、複数の第１電極７２を設け、下表面６８に複数の第２電極７４を第１電極７２に対応して設ける。
【００１１】
チップ５２は基板の上表面６６のチップ収容区域７０に設け、その上部に検出区域７６を設け、検出区域７６の周りに複数の半田パッド７８を設ける。
フランジ層５４、基板５０の上表面６６に設け、チップ収容区域７０と第１電極７２を囲む。
【００１２】
図３に示すとおり、４本突起棒５６は基板５０の上表面６６フランジ層５４の四つ隅に設け、その高さはフランジ層５４より低い。
複数本の導線５８は、チップ５２の半田パッド７８によって、基板５０の第１電極７２に設け、チップ５２の信号は、基板５０の上表面６６周りに設ける第１電極７２によって、基板５０の下表面６８に設ける第２電極７４に伝送する。
透光層６０は４本突起棒５６に被せて、チップ５２を覆う。
透光層６０を４本突起棒５６に設けることにより、製品寸法を小さくして、コンパクトにする目的を実現する。
【図面の簡単な説明】
【００１３】
【図１】公知技術の画像センサーモジュールの断面図である。
【図２】本考案のコンパクト画像センサーモジュールの断面図である。
【図３】本考案のコンパクト画像センサーモジュールの平面図である。
【符号の説明】
【００１４】
５０  基板
５２  チップ
５４  フランジ層
５６  ４本突起棒
５８  複数本の導線
６０  透光層
６６  上表面
６８  下表面
７０  チップ収容区域
７２  第１電極
７４  第２電極
７６  検出区域
７８  半田パッド
【図１】
0003120043.tif 000003
【図２】
0003120043.tif 000004
【図３】
0003120043.tif 000005
(57)【要約】【課題】  本考案は、風力発電の効果を確認出来る、教材用の風力発電装置を提供する【解決手段】  内部が容器となっている台座に形成された嵌合孔に適合する係合部を有する蓋体を備え、着脱自在とした事を特徴とする。【選択図】図１
0003120012.tif 000002
【実用新案登録請求の範囲】
【請求項１】
内部が容器となっている台座に形成された嵌合孔に適合する係合部を有する蓋体が、着脱自在とした事を特徴とする教材用風力発電装置。
【考案の詳細な説明】
【技術分野】
【０００１】  この考案は、風力発電の効果を確認出来る、教材用風力発電装置に関するものである。
【背景技術】
【０００２】  従来、風力発電の効果を確認する為に風力で得られる動力は、モーターを介在する事によって得られる発電能力が、ＬＥＤ等の発光体を点灯させる事によって発電の成果を実証出来る教材があった。
【考案の開示】
【考案が解決しようとする課題】
【０００３】  これは、次のような欠点があった。発電の成果はモーター側に接続する物に限定されることになる。ＬＥＤ等の発光体をモーターに接続した場合は、発電の仕組みは目視できるにとどまり、他方、モーター側に接続する物が音声や曲が鳴る電子モジュールを接続した場合では、耳で効果を聴取して発電の効果を確認することになる。以上の実験を目視する場合と耳で確認することの両方は、単体の装置では実行できない。また、両方の機能を兼ね備えた装置も存在するが、装置の規模が大がかりであった。
【課題を解決するための手段】
【０００４】  本考案はこのような点に鑑みなされたもので、１つの装置で両方の効果を用途に応じて実証出来る、教材用風力発電装置を提供する事を目的とする。この目的を達成するため、本考案は内部が容器となっている台座に形成された嵌合孔に適合する係合部を有する着脱自在な蓋体を備えることとする。
【考案の効果】
【０００５】  本考案によれば、風力発電の効果は、着脱自在の蓋体に備えた部品を用途に応じて、部品が付いた蓋体自体を取り換えることで、１つの装置で何通りでも実験の効果が確認出来る様になり、本考案における方法を用いることで、蓋体自体の交換も容易となる。また、実験の用途以外で、蓋体の上部が平坦な物とした場合には、装置がインテリアとしての置き物の性質も併せ持つことが可能である。
【考案を実施するための最良の形態】
【０００６】  以下、本考案の一実施の形態について、図面を参照して説明する。
【実施例】
【０００７】  図１に示すように、発電の効果を目で確認する場合、風力で得られる動力は、モーター４を介在する事によって発電能力が生じ、発電の成果は着脱可能な蓋体に取り付けられたＬＥＤ等の発光体へ導かれることによって、確認が可能となる。【０００８】  ブレード（羽）５を回す事によって、接続しているモーター４を動かし、起電力させる。ＬＥＤ等発光体付蓋体３を台座２の孔に嵌合することにより、モーター４とＬＥＤ等発光体は内部配線によって結線されているので、モーターの動力がＬＥＤ等発光体を点灯させることで、発電を目で確認する事が可能となる。【０００９】  また、図２に示すように、電子モジュール付蓋体８を台座２の孔６に嵌合することにより、モーターの動力が電子モジュールから音声や曲を鳴らすことで、発電を耳で確認することが可能となる。孔６に嵌合する蓋体を部品が付いていない蓋体７にした場合、インテリアとしての置き物の性質を持つ事も可能である。本考案による機能は、性質上においてかかる例に限定されるものでないことは勿論である。
【図面の簡単な説明】
【００１０】
【図１】本考案の一例を示す斜視図である。
【図２】本考案の効果を示す図で、嵌合していない蓋体の状態を示している。
【符号の説明】
【００１１】    １  風力発電装置本体            ２  台座
３  ＬＥＤ等発光体付蓋体        ４  モーター
５  ブレード（羽）              ６  孔
７  部品が付いていない蓋体      ８  電子モジュール付蓋体
【図１】
0003120012.tif 000003
【図２】
0003120012.tif 000004
(57)【要約】      （修正有）【課題】船底に脱出用扉を設けることで船内からの脱出を可能にする。【解決手段】船舶４の船底８の船首付近９と船尾付近１０の喫水線内５に二箇所以上の凹み３を設け、同凹み３の内側には船内又は船外から人が開けることができる水密パッキン６を施された脱出用扉１を設ける、更に、同凹み３の外側にも、船底８と同じ位置に人為的以外には容易に開けられない水密パッキン６を施された脱出用扉２を設けることにより人命被害の防止に役立つ。【選択図】図３
0003120019.tif 000002
【実用新案登録請求の範囲】
【請求項１】
船舶の船底の船首付近と船尾付近の喫水線内に二箇所以上の凹みが設けられ、同凹みの内側及び外側に水密パッキンを施された脱出用扉によって船内に閉じ込められていた人々を船外に脱出させられることを特徴とする船舶が転覆した時の脱出用扉
【考案の詳細な説明】
【技術分野】
【０００１】  本考案は、海難事故による船舶の転覆で仰向けの状態で海面に浮いていれば、たとえ船内に閉じ込められた人々が居ても船底から自力で脱出することが出来る脱出用扉に関するものである。
【背景技術】
【０００２】  従来、船舶には海難事故に備えて救命胴衣等の備えは施されているが、船舶が転覆して仰向けになって海面に浮いた状態では、船内に閉じ込められている人々は自力では脱出することが出来ずに、ひたすら外部からの救出を待つしかなかった。
【考案の開示】
【考案が解決しようとする課題】
【０００３】  船舶が海難事故による転覆で海面に仰向けになって浮いている状態では、船内に閉じ込められている人々は自力で船底に穴を開けて脱出する術が無く、船内に残された空気を頼りに救出されるのを待つしかなかった、従って、船底に脱出用扉を設けることで、船内に閉じ込められた人々が自力で容易に脱出することが可能になり、前述の欠点を解決しようとするものである。
【課題を解決するための手段】
【０００４】  本考案は、船舶の船底の船首付近と船尾付近の喫水線内に二箇所以上の凹みを設け、同凹みの内側には船内又は船外から人が開けることができる水密パッキンを施された脱出用扉を設ける、更に、同凹みの外側にも、船底と同じ位置に人為的以外には容易に開けられない水密パッキンを施された脱出用扉を設けることにより問題点を解決している。
【考案の効果】
【０００５】  上述の様に、本考案の船舶が転覆した時の脱出用扉は、船舶が海難事故に遭遇し、転覆して仰向けになって海面に浮いている状態であれば、船内に閉じ込められた人々は船底の船首付近と船尾付近に設けられた脱出用扉から自力で船外に脱出することが可能になることで、人命被害の防止に役立つ。
【考案を実施するための最良の形態】
【０００６】  船舶の船底に凹みを設け、同凹みの内側には船内又は船外から人が開けることができる水密パッキンを施された脱出用扉を設け、更に、同凹みの外側にも船底と同じ位置に人為的以外には容易に開けられない水密パッキンを施された脱出用扉を設けることにより、船内に閉じ込められている人々は、船内から自力で脱出することや、船外からの救出活動によって容易に船外に脱出することが可能になる、尚、船底に設けられる脱出用扉は、喫水線内のなるべく船首付近と船尾付近に二箇所以上設置することが望ましい。
【実施例】
【０００７】  以下、添付図面に従って一実施例を説明する。船舶４の船底８に凹み３を設け、同凹み３の内側には船内又は船外から人が開けることができる水密パッキン６を施された脱出用扉１を設け、更に、同凹み３の外側にも船底８と同じ位置に人為的以外には容易に開けられない水密パッキン６を施された脱出用扉２を設けることにより、船内から自力で脱出することや、船外からの救出活動によって容易に船外に出ることが可能になる、尚、船底８に設けられる脱出用扉１及び２は、喫水線内５のなるべく船首付近９と船尾付近１０に二箇所以上設置することが望ましい。
【図面の簡単な説明】
【０００８】
【図１】本考案の船舶が転覆した時の脱出用扉を上から見た図である。
【図２】上述の図１を横から見た断面図である。
【図３】本考案の船舶が転覆した時の脱出用扉を施された船舶を横から見た断面図である。
【図４】上述の図３が転覆して仰向けになって船底の船首付近が海面に出ている状態の図である。
【符号の説明】
【０００９】１    凹みの内側の脱出用扉
２    凹みの外側の脱出用扉
３    凹み
４    船舶
５    喫水線
６    水密パッキン
７    海面
８    船底
９    船首付近
１０  船尾付近
【図１】
0003120019.tif 000003
【図２】
0003120019.tif 000004
【図３】
0003120019.tif 000005
【図４】
0003120019.tif 000006
(57)【要約】      （修正有）【課題】パッケージの種類を減らすことによりコストの削減に役立ちまた商品を形で表現し宣伝効果を期待する事が出来るパッケージを提供する。【解決方法】形状を維持できるビニール、プラスチックの材質で構成され、魚介類の形を有し、内部の敷居を任意に移動、撤去する事が出来、全方向から内部が見る立体的な食品用パッケージである。【選択図】図１
0003120016.tif 000002
【実用新案登録請求の範囲】
【請求項１】
この物品はビニール、プラスチックの材質で構成され、魚介類の形を有し、内部の敷居を任意に移動、撤去する事が出来る立体的な食品用のパッケージ。
【考案の詳細な説明】
【技術分野】
【０００１】この考案は、内部の敷居を任意に移動、撤去する事が出来、全方向から内部が見る事が出来る立体的な食品用パッケージに関するものである。
【背景技術】
【０００２】従来の食品用パッケージは箱入れか、袋詰めが一般的に行われている。
【考案の開示】
【考案が解決しようとする課題】
【０００３】上記に記載された従来の食品用パッケージは内部が見え無い為、内部の食品の写真、イラスト等をパッケージに印刷して食品を表示する方法が行われています。本考案は形だけで食品の内容が解ることを目的とする。
【課題を解決するための手段】
【０００４】上記課題を解決するために、魚介類を立体的に表現した形状を構成するものである。
【考案の効果】
【０００５】内部の敷居を任意に移動、撤去する事により商品の種類、数量を随時変更する事が出来、パッケージの種類を減らすことによりコストの削減に役立つ。また商品を形で表現する為、宣伝効果を期待する事が出来ます。
【考案を実施ための最良の形態】
【０００６】形状を維持できるビニール、プラスチックの材質で構成され、魚介類の形を有し、内部の敷居を任意に移動、撤去する事が出来、全方向から内部が見る立体的な食品用パッケージに関するものである。
【図面の簡単な説明】
【０００７】
【図１】  外観透視図である。
【図２】  平面図
【図３】  側面図
【符号の説明】
１    パッケージ本体
２    敷居
３    商品投入口
【図１】
0003120016.tif 000003
【図２】
0003120016.tif 000004
【図３】
0003120016.tif 000005
(57)【要約】【課題】  本考案は机上のマウスパッドの専用スペースを無くし、どのパソコンでもマウス操作に違和感の無いマウスパッドの提供。【解決手段】書籍、ノート、ダイヤリー等のおもて表紙に布シートを貼り付け、裏表紙にゴムシートまたは皮シートを貼り付け（モバイルマウスパッドと言う）、普段は書籍、ノート、ダイヤリー等として鞄の中や机の引き出し等に入れておく。マウスパッドが必要な時に鞄や机の引き出し等から出し、おもて表紙の布シートの部分をマウスパッドとして使用する（裏表紙のゴムシート又は皮シートは、マウスを動かす力でこのモバイルマウスパッドが動くのを防ぐ）。これによりマウスパッド専用のスペースを無くせる。  また、このモバイルマウスパッドは普段は書籍、ノート、ダイヤリーとして持ち運んでいるので、どのパソコンでもこれが容易に使えマウス操作に違和感が無くなる。【選択図】図１
0003120015.tif 000002
【実用新案登録請求の範囲】
【請求項１】
書籍、ノート、ダイヤリー等のおもて表紙に布シートを貼り付け、裏表紙にゴムまたは皮シートを貼る事により書籍、ノート、ダイヤリー等がマウスパッドとして使え、机の上のマウスパッド専用スペースが不要となると共にどこにでも容易に持ち運べ、どのパソコンでも違和感のないマウス操作が可能となる事を特徴とするマウスパッドである。
【考案の詳細な説明】
【技術分野】
【０００１】  本考案はマウスパッド専用スペースをなくし、何処にでも持ち運びが容易で、どのパソコンでもマウス操作に違和感の無いマウスパッドに関するものである。
【背景技術】
【０００２】  マウスパッドはパソコン毎にあり専用のスペースが必要である。またマウスパッドはあまり持ち運ばない構造となっている。
【考案の開示】
【考案が解決しようとする課題】
【０００３】  マウスパッドは専用のスペースが必要であるが机の上に書類が多くなると書類に埋もれてしまい、マウスを使う時にはマウスパッドの上に有る書類を片付ける必要がある。
また、マウスパッドは持ち運びをしないため、別のパソコンを操作する時に普段使っていないマウスパッドを使わなければならなくマウスの操作に違和感を覚える。
【課題を解決するための手段】
【０００４】  書籍、ノート、ダイヤリー等のおもて表紙に布シートを貼り付け、裏表紙にゴムまたは皮シートを貼る事により書籍、ノート、ダイヤリー等がマウスパッドとして使え、机の上のマウスパッド専用スペースが不要となると共にどこにでも容易に持ち運べ、どのパソコンでも違和感のないマウス操作が可能となる。
【考案の効果】
【０００５】  机の上に書類が多く有る時でも、書類を片付ける事なしに鞄や机の中から書籍、ノート、ダイヤリー等を取り出し書類の一番上に載せ、それをマウスパッドとして使用する。また書籍、ノート、ダイヤリー等は持ち運び容易な物なので、別のパソコンを使用する時それを持って行きマウスパッドとして使用する。これによりマウスのすべりに違和感なくいつものマウス操作の感覚でパソコンが使える。
【考案を実施するための最良の形態】
【０００６】  書籍、ノート、ダイヤリー等のおもて表紙はツルツルであるためマウスのボールが滑ってマウスパッドとして使いづらい。そこで書籍、ノート、ダイヤリー等のおもて表紙に布シートを貼り付ける事によりマウスのボールがすべる事無くマウスパッドとし利用できる。
また、この書籍、ノート、ダイヤリー等がマウスを動かす力で動くのを防ぐために裏表紙にゴムシート又は皮シートを貼り付ける。
【実施例】
【０００７】  以下添付図に従って実施例を説明する。図１は既存の書籍、ノート、ダイヤリー等（表紙の大きさが、縦２００ｍｍ横２００ｍｍ以上が望ましい。）のおもて表紙に布シート（ザラザラ感のある布シートが望ましい。）を両面テープ等の接着剤にて貼り付ける。次にこの書籍、ノート、ダイヤリー等の裏表紙にゴムシート又は皮シートを貼り付ける。
【図面の簡単な説明】
【０００８】
【図１】本考案のモバイルマウスパッドの一実施例を示す見取り図である。
【図２】本考案のモバイルマウスパッドの平面図である。
【図３】本考案のモバイルマウスパッドの立面図である。
【図１】
0003120015.tif 000003
【図２】
0003120015.tif 000004
【図３】
0003120015.tif 000005
(57)【要約】【課題】水源さえあれば、何時でも欲しい量だけ瞬時にクリーンな飲料が得られる使い勝手の良い比較的安価に提供することができる手動式の携帯浄水器を提供する。【解決手段】  足踏み部１１を備えた基盤１２上に、吸入口１ａと吐出口１ｂにそれぞれ逆止弁１３，１３’を設け、且つ一端を器体１４に枢着したハンドル１６の操作により逆椀状のダイアフラム１５を上下させてるように構成した手動式ポンプ１を設け、前記吸入口１ａには端部にストレーナー３，３を設けた吸入ホース２を接続し、前記吐出口１ｂには給送ホース１９を介して活性炭フィルター５を接続し、この活性炭フィルター５に排水管７を備えたＵＦ膜フィルター６を連結ホース８を介して接続する。【選択図】図１
0003120876.tif 000002
【実用新案登録請求の範囲】
【請求項１】
足踏み部を備えた基盤上に、吸入口と吐出口にそれぞれ逆止弁を設け、且つ一端を器体に枢着したハンドルの操作により逆椀状のダイアフラムを上下させるように構成した手動式ポンプを設け、前記吸入口には端部にストレーナーを設けた吸入ホースを接続し、前記吐出口には給送ホースを介して排水管を備えた活性炭フィルター、ＵＦ膜フィルター等のフィルターを接続したことを特徴とする携帯浄水器。  
【請求項２】
フィルターは、活性炭フィルターとＵＦ膜フィルターとを直列に接続したものであることを特徴とする請求項１記載の携帯浄水器。
【考案の詳細な説明】
【技術分野】
【０００１】
本考案は、水源さえあれば、何時でも欲しい量だけ瞬時にクリーンな飲料水が得られる使い勝手の良い手動式の携帯浄水器に関するものである。                
【背景技術】
【０００２】
電源のない災害地あるいは、水道施設のない野外で用いられる浄水装置として、キャスターを備えた大型の浄水装置が実用化されているが、大型で高価であるため、微々たる数しか備えられていない。
【特許文献１】特開２００１−４７０３５号公報
【考案の開示】
【考案が解決しようとする課題】
【０００３】
そこで、本考案は、水源さえあれば、何時でも欲しい量だけ瞬時にクリーンな飲料が得られる使い勝手の良い比較的安価に提供することができる手動式の携帯浄水器を提供しようとするものである。
【課題を解決するための手段】
【０００４】
本考案は、上記の課題を解決するためになされたもので、足踏み部を備えた基盤上に、吸入口と吐出口にそれぞれ逆止弁を設け、且つ一端を器体に枢着したハンドルの操作により逆椀状のダイアフラムを上下させるように構成した手動式ポンプを設け、前記吸入口には端部にストレーナーを設けた吸入ホースを接続し、前記吐出口には給送ホースを介して排水管を備えた活性炭フィルター、ＵＦ膜フィルター等のフィルターを接続したことを特徴とする携帯浄水器である。
【考案の効果】
【０００５】
本考案は、ストレーナー付ホースを水源、例えばマンションの受水槽、地下防火貯水槽、プール、上流河川等に入れ、手動式ポンプを地上に置き、一方の足で基盤の足踏み部を踏み、ハンドルを手動又は他方の足で上下動させれば、逆椀状のダイアフラムが上昇した時は、吸入側の逆止弁が開いて手動式ポンプの器体内に原水が吸入され、逆椀状のダイアフラムが降下した時には、吐水口から逆止弁を押し開き、給送ホースを介してフィルターへ原水を給水し、排水管より浄化された水が排出される。
【実施例】
【０００６】
図１は、本考案の実施例の一部截断側面図で、１は手動式ポンプ、２は２個のプラスチック製ストレーナー３，３をチーズ４を介して一端に取付けた吸入ホース、５は活性炭フィルター、６は排水管７を備えたＵＦ膜（中空糸膜）フィルターで、活性炭フィルター５の排水口５ｂとＵＦ膜フィルター６の注水口６ａとは連結ホース８で直列に接続されると共に２個のＨ字状のクリップ９，９により止められている。
【０００７】
そして、手動式ポンプ１は、手掛け孔１０を設けた足踏み部１１を備えたプラスチック製基盤１２上に固定され、吸入口１ａと吐出口１ｂには逆止弁１３，１３’が設けられ、また鍋状の器体１４には、逆椀状のゴム製ダイアフラム１５の口縁が取付けられ、ダイアフラム１５の中心部は一端を器体１４に枢着したハンドル１６に連結部材１７，１８を介して、連繋されている。
【０００８】
なお逆止弁１３，１３’は、図２に示すような円形のゴム製弁材にＣ字状のスリット１３ａを設けて舌片部１３ｂを形成したもので、例えば吐出側では、図３に示すように吐出時に吐出口１ｂの弁座を閉鎖していた舌片部１３ｂが想像線図示のように開くよう構成されている。
【０００９】
しかして、吐出口１ｂは給送ホース１９を介して活性炭フィルター５の注水口５ａに連結されている。なお、連結ホース８と給送ホース１９の端部には着脱容易なワンタッチユニオンエルボＰが取付けられており、また、排水管７はワンタッチプラグインエルボＱでＵＦ膜フィルター６の注水口６ｂに着脱自在に取付けられている。
【００１０】
次に、本考案にかかる浄水器の使用法について説明すると、先ず手動式ポンプ１の吸入口１ａに吸入ホース２を接続し、吐出口１ｂに給送ホース１９を介して活性炭フィルター５を接続した後、吸入ホース２を然るべき水源に入れ、次に基盤１２の足踏み部１１を片足で押さえ、ハンドル１６を手又は他方の足で上下動させる。
【００１１】
ハンドル１６を上下動させると、逆椀状のダイアフラム１５が上昇した時、ストレーナー３，３及び吸入ホース２を介して器体１４内に原水を吸入し、逆椀状のダイアフラム１５が下方に押された時排水される。器体１４から排水された原水は、給送ホース１９を経て、活性炭フィルター５内に給送され、活性炭フィルター５では、濁り、臭い等が除去され、ＵＦ膜フィルター６では細菌等が除去され、浄化された水が排水管７から排出される。
【００１２】
以上のように、部品点数が少なく構造が簡単であると共に、組立・分解が容易であり、使い勝手が頗る優れたものである。ペットボトル分程度の浄化された水を簡単に得ることができる。
【００１３】
小型で工具箱程度の手提げ箱に収納出来るので携帯に便利であり、災害時や、水道施設のない野外で用いる携帯浄水器として有用なものである。なお、各フィルター５，６は純水を出水側から注入することにより逆洗することが出来る。
【図面の簡単な説明】
【００１４】
【図１】本考案の実施例の一部截断側面図
【図２】逆止弁の平面図
【図３】逆止弁の動作を示す説明図
【符号の説明】
【００１５】
１            手動ポンプ
２            吸入ホース  
３            ストレーナー  
４            チーズ
５            活性炭フィルター
６            ＵＦ膜フィルター
７            排水管  
８            連結ホース
９            クリップ
１０          手掛け孔  
１１          足踏み部
１２          基盤
１３，１３’  逆止弁
１４          器体
１５          ダイアフラム
１６          ハンドル
１７，１８    連結部材
１９          給送ホース
【図１】
0003120876.tif 000003
【図３】
0003120876.tif 000004
【図２】
0003120876.tif 000005
(57)【要約】【課題】着用して皮膚を保護する服飾織物。【解決手段】織布を裁断・縫製して製作した手袋や靴下などの織物地１０を引き伸ばしてその内面に溶融若しくは溶解状態にあるゴムを塗布して被覆し、弾性のあるゴム層を２０を形成する。  該ゴム層は、その弾性により着用した状態で手指、足、脚部などにフィットすると共に空気から遮断してしてこれらの皮膚を保護するため、皮膚にひび割れや疾患のある場合でも、塗布された薬剤などを気化を防止し、薬剤などを除去することがない。【選択図】  図１
0003120802.tif 000002
【実用新案登録請求の範囲】
【請求項１】
手袋、靴下及びプロテクター等の人体に直接接して着用する服飾織物において、
人体に直接接する織物内面に弾性ゴム層を被覆形成してなることを特徴とする人体に接して着用される織物構造。
【請求項２】
前記手袋が、手袋、長手袋、指出し手袋であることを特徴とする請求項1記載の人体に接して着用される織物構造。
【請求項３】
前記靴下が、短ソックス、長ソックス、踵までのソックス、指だしソックスであることを特徴とする請求項1記載の人体に接して着用される織物構造。
【請求項４】
前記プロテクターが、肘プロテクター、腕プロテクター、膝プロテクター、腰のプロテクターであることを特徴とする請求項1記載の人体に接して着用される織物構造。
【考案の詳細な説明】
【技術分野】
【０００１】
本考案は、人体に着用される織物の構造改良に係り、人体が装着する織物の内面に弾性ゴム層を被覆、形成して、前記織物と皮膚の接触面に弾性ゴム層を設け、さらに乳液、軟膏等を配合して塗布することによって、保健効果を倍増する。
【背景技術】
【０００２】
一般に人体に着用する服飾織物（特に手袋、靴下等）は、通常織物を裁断、縫製して作製されるが、手袋や靴下について見ると、本来の目的のとおりに単に着用するのみである。ところで、使用者がこれらを着用する手部、或いは脚部などに乾燥によるひび割れや、皮膚炎、捻挫、脱臼などの病状がある時、化粧品や薬品が織物の布地の摩擦によって吸収されて効果が失われることを避けるために、治療のため乳液や軟膏を塗布すると手袋や靴下を着用することができない。
また、使用者が保健効果を行う箇所、或いは患部に乳液や薬品を塗布したい時には、塗布した皮膚の表面の乳液や薬品が空気と直接接触するために、その効用の一部は空気に触れて揮発し、無駄となってしまい、また保健の治療効果を半減してしまう。そのため、公知の織物は本来の用法について単に着用するのみであり、上述のような問題点と保健効果を克服することができない。
【特許文献１】特開２００６−２３１９号公報
【考案の開示】
【考案が解決しようとする課題】
【０００３】
従来の服飾品には以下のような欠点があった。
すなわち、単に装着の作用のみに制限されてなり、使用者の手部、或いは脚部が乾燥して亀裂がある時、または皮膚炎、捻挫、脱臼などの病状がある時、使用者は美容品や薬品が織物の布地の摩擦によって吸収され、効果が失われることを避けるため、乳液や軟膏を塗布すると同時に手袋や靴下を装着することが出来ない。
また、使用者が保健効果を行う箇所、或いは患部に乳液や薬品を塗布する時には、塗布した皮膚の表面の乳液や薬品が空気と直接接触するため、その効用の一部は空気に触れることで揮発して無駄となってしまい、保健の治療効果を低減してしまう。
本考案は、これらの公知の服飾織物の欠点を改善することにあり、人体に着用する織物の内側面に弾性のゴム層を覆って設けてなり、
前記織物と皮膚の接触面に弾性ゴム層を形成し、さらに乳液、軟膏等を配合して塗布することによって、保健効果を倍増する。
【課題を解決するための手段】
【０００４】
上記課題を解決するために本考案は、下記の人体において装着される織物の改良された構造を提供する。
織物の裁断、縫製により製造された各種の手袋や靴下、或いはプロテクター（肘、腕、膝、腰のプロテクター）等であって、その内面に弾性ゴム層を形成して該織物と皮膚との接触面において、皮膚を保護する。
【考案の効果】
【０００５】
前記織物と皮膚の接触面に弾性ゴム層を形成し、さらに乳液、軟膏等を配合して塗布することによって、保健効果を倍増させることを可能とする。
さらに、使用者が織物等を装着する際に快適性及び患部の保護効果を提供する。
【考案を実施するための最良の形態】
【０００６】
本考案は、各種の手袋や靴下などの織物本体10の内面に弾性ゴム層20を覆って設け、
先ず織物本体10に形成した後に治具によって引き伸ばし、織物本体10の表面の繊維線材に隙間を生じさせ、熱溶解した弾性ゴム層20を織物本体10の内面に塗布することによって密着性を持たせて被覆層を形成し、冷却凝固して弾性ゴム層20を形成して完成する。
上述の弾性ゴム層20を織物本体10の内面に被覆形成する上記の方法は、本考案の実施可能な実施例の一例であって、そのほか、接着剤によって貼付したり、高周波によって貼付するなど他の周知の方法によって弾性ゴム層20を形成することが出来る。
上述の構造によって、本考案は織物本体10の内面に弾性ゴム層20を被覆して形成することによって、使用者が織物本体10を着用する時に弾性ゴム層20が人体の皮膚を覆い、使用者が皮膚のひび割れや疾患部位に施療のため乳液や軟膏等の物を塗布していても織物本体10を着用することが可能となる。また、弾性ゴム層20の表面は、空気に対して密封性があり、皮膚に塗布した薬剤の気化を防止し、或いは乾燥を防止するため、美容品や薬品等は直接患部に吸収されることが可能となり、使用者は手袋や靴下等の織物を着用することによって美容や治療を中断しなくともよくなる。
【０００７】
図1及び図3に示されるように、手袋或いは靴下の形態は本考案に開示される実施例の一例であり、これ以外にも織物は各式の手袋、靴下及びプロテクター等とすることが可能である。
上述の実施例からも分かるように、本考案は織物本体10の内面に弾性ゴム層20を覆って設けてなる構成であり、使用者が織物等を着用する際に快適性及び患部の保護効果を提供する。
【０００８】
本考案では好ましい実施例を前述のように開示したが、これらは決して本考案に限定するものではなく、当該技術を熟知する者なら誰でも、本考案の精神と領域を脱しない範囲内で、各種の変動や潤色を加えることができ、従って本考案の保護範囲は、実用新案請求の範囲で指定した内容を基準とする。
【図面の簡単な説明】
【０００９】
【図１】本考案の立体構造図である。
【図２】本考案の断面構造図である。
【図３】本考案の更なる実施例の断面構造図である。
【符号の説明】
【００１０】
10  織物本体
20  弾性ゴム層
【図１】
0003120802.tif 000003
【図２】
0003120802.tif 000004
【図３】
0003120802.tif 000005
(57)【要約】      （修正有）【課題】射出成型機へのホッパーよりのペレットの供給を少しづつ行えるもので、ペレットが湿気を吸い、熱が冷めるのを最小限に押え、ペレットの供給量を制御する装置を提供する。【解決手段】本体は管状であり、立てて用いる。本体の一端はホッパー側取付フランジを持ち、他端は成型機側取付フランジを持っている。本体の中間に検出窓を設け、その検出窓の外側にセンサーがセンサーマウントにより支持されて来る。センサーは又、２つのセンサーホルダーと管と同方向のシャフトにより支持されている。そしてセンサーは管と同方向に移動可能であり、作業者がネジで好ましい量を設定し、固定できる。これはペレットの成型機への供給をし、それを補充する時センサーが検知し、そこでペレットの落下をストップする。又、ペレットを少し使ってペレットが少なくなると、ペレットがその空間を埋め落下し、センサーの指示するところで、供給をストップする。【選択図】図１
0003120859.tif 000002
【実用新案登録請求の範囲】
【請求項１】
ホッパー側取付フランジと、成型機側取付フランジを両端に持つ管状の本体に、検出窓を設け、その検出窓の外部にセンサーマウントに支持されたセンサーが来て、そのセンサーは、２つのセンサーホルダーとそれらのセンサーホルダーに装着された管の同方向のシャフトにより支持され且つネジにより該シャフトに沿って該センサーが移動固定可能な射出成型機へのペレット搬送制御装置。
【考案の詳細な説明】
【技術分野】
【０００１】
本考案は、射出成型機へのペレット搬送制御装置に関する。
【背景技術】
【０００２】
今まで、射出成型機へのペレットの搬送はホースでやっていた。この方法だと、一杯にペレットが入り、湿気を吸い、熱が冷める欠点があった。ホッパーから小出しにほんの少し送る装置は今まで無かった。
【特許文献１】これに関する先行特許は全く無い。
【非特許文献１】各社のパンフレット等を見てもこれに類するものは全くありません。
【考案の開示】
【考案が解決しようとする課題】
【０００３】
本考案は、センサーにより、貯まった量を検知し、少しづつ射出成型機にホッパーよりペレットを送る装置を提供する。
【課題を解決するための手段】
【０００４】
本考案は、ホッパー側取付フランジと、成型機側取付フランジを両端に持つ管状の本体に、検出窓を設け、その検出窓の外部にセンサーマウントに支持されたセンサーが来て、そのセンサーは、２つのセンサーホルダーとそれらのセンサーホルダーに装着された管の同方向のシャフトにより支持され且つネジにより該シャフトに沿って該センサーが移動固定可能な射出成型機へのペレット搬送制御装置である。
【考案の効果】
【０００５】
射出成型機へのペレットの供給を少しづつ行うことができ、ペレットの湿気を防ぎ、熱の冷めるのを防止する。従来のホース型では、ホース一杯にペレットが入りこの様な効果は全く無い。
【考案を実施するための最良の形態】
【０００６】
本体１は管状をなし、一端に、ホッパー側取付フランジ２、他端に成型機側取付フランジ３を持つ。
【０００７】
本体１には検出窓４が形成されている。その検出窓４の外部にセンサー５が来てセンサーマウント６が本体１をまたがって保持される。センサー５はセンサーマウント６の両内側について、本体１内のペレットの量を検出する。
【０００８】
センサー５は検出窓４のそばに２つのセンサーホルダー７により支持される。２つのセンサーホルダー７は本体１の管を囲み、本体の管と同方向のシャフト８により、センサーマウント６を介してセンサー５を保持する。即ち、シャフト８の中間にセンサー５が来る。９は量の設定ネジであり、ペレットの好ましい量を作業者がこれを回して設定する。１０はシャフトホルダー部であり、それはセットカラー１１とシャフトホルダー１２よりなり、シャフトホルダー１２はシャフト８を固定し、セットカラー１１は本体１である管を通す。尚、１３は、ドレンであり内部に異物が入った時取り除くものであるが、滅多に使用することはない。
【０００９】
次に作用を説明すると、本体１を立てて用い、上部はホッパー側取付フランジ２に固定し、下端は射出成型機に成型機側取付フランジ３により、取り付ける。ペレットをホッパー側より入れるとペレットは下に落ち、設定された検出窓４の所でセンサー５により、止められる。そして、少しペレットを使うと、センサーと成型機の間に空間が出来るので又それを埋めるべくペレットを流し込むと、センサー５の指示する所までペレットが来て供給は終わりストップする。この様にして少しづつペレットを供給できる。又センサーの位置は作業者が決め少し目、多目と貯積量を変えられ、即ち検出窓４の長さの範囲内で自由にネジ９を回して設定できる。
【産業上の利用可能性】
【００１０】
本装置は、今までの射出成型機へのペレットの供給法の概念を全く変えたものであり、広く、産業界で利用される可能性が高いと思われる。
【図面の簡単な説明】
【００１１】
【図１】本体とそれに付属する各部の側面図である。
【図２】センサーを示す部分の正面図
【図３】シャフトホルダーとセットカラーの正面図である。
【符号の説明】
【００１２】
１  本体
２  ホッパー側取付フランジ
３  成型機側取付フランジ
４  検出窓
５  センサー
６  センサーマウント
７  センサーホルダー
８  シャフト
９  設定ネジ
１０  シャフトホルダー部
１１  セットカラー
１２  シャフロホルダー
１３  ドレン
【図１】
0003120859.tif 000003
【図２】
0003120859.tif 000004
【図３】
0003120859.tif 000005
(57)【要約】      （修正有）【課題】日頃から足腰を鍛えるために、気楽に・手軽に安全にトレーニングができる鍛錬器具を提供する。【解決手段】帯体１の両端に編地または布からなるウエイト収納袋２が設けてあり、この収納袋には砂糖を充てんしたビニール袋が収められている。なお、袋の開口部は縫いつけて閉じておいてもよい。この袋は二重としてもよい。【選択図】図１
0003120857.tif 000002
【実用新案登録請求の範囲】
【請求項１】
帯体の両端にウエイト収納袋をそれぞれ連結した足鍛錬器具
【請求項２】
ウエイト収納袋が二重構造である請求項1記載の足鍛錬器具
【請求項３】
砂糖を重鎮したビニール袋がウエイト収納袋に収納された請求項1、2記載の足鍛錬器具
【考案の詳細な説明】
【技術分野】
【０００１】
本考案は、足腰を鍛えるために、気軽で手軽に鍛錬できる器具に関する。
【背景技術】
【０００２】
足腰の丈夫な人が日頃から足のトレーニングをしているが、気軽で手軽なものはなかった。
【考案の開示】
【考案が解決しようとする課題】
【０００３】
日頃から足腰を鍛えるために、気楽に・手軽に安全にトレーニングができる鍛錬器具を提供する。
【課題を解決するための手段】
【０００４】
帯体の両端にウエイト収納袋をそれぞれ連結させる。またそのウエイト袋は二重構造とする。ウエイト収納袋には砂糖を充てんしたビニール袋を収める。
【考案の効果】
【０００５】
1日1回3分を1年間トレーニングした結果、足腰が強くなり、日々充実した生活ができて、何人かに試してみても、好評でした。器具も簡単に作れる。
【考案を実施するための最良の形態】
【０００６】
図１に示すように、帯体１の両端に編地または布からなるウエイト収納袋２が設けてあり、この収納袋には砂糖を充てんしたビニール袋が収められている。なお、袋の開口部は縫いつけて閉じておいてもよい。この袋は二重としてもよい。
【実施例】
【０００７】
図２のように仰向きになり、左右の足首に帯体１を介してウエイト収納袋２を左右につり下げ、まず左の足をあげて、2.3秒間ほどその状態を保ち、下げる。今度は右の足をあげて、2.3秒間ほどその状態を保ち、下げる。その繰り返しを5回ほど繰り返して1日1回実施する。
【０００８】
無理なく本体を使って、色々工夫して運動出来る。
【図面の簡単な説明】
【０００９】
【図１】本考案の足鍛錬器具の実用例を示す正面から見た図である。
【図２】実際の足鍛錬器具を使った様子。
【符号の説明】
【００１０】
１  帯体
２  ウエイト収納袋
【図１】
0003120857.tif 000003
【図２】
0003120857.tif 000004
(57)【要約】【課題】従来の爪先立ちスリッパが提唱する効果を最大限得ることができ、且つ、足底筋群の発達を促し、正常に足の指を動かすことが出来るようになるスリッパを提供する。【解決手段】イ．従来のスリッパにあったハネと呼ばれる足の甲を覆う部分を取り除く。ロ．爪先を乗せるスリッパ本体に可逆性物質（１）を用いて、体重が爪先へ集中することによる負荷を軽減する。ハ．足の指で握ることが出来るような凹凸（２）を可逆性物質で設け、足の指の力でのみスリッパを持ち上げ歩行する。【選択図】図１
0003120855.tif 000002
【実用新案登録請求の範囲】
【請求項１】
爪先が乗る大きさで可逆性のある物質（１）の表面に足の指で握ることが出来る凹凸（２）を形成した握るスリッパ。
【考案の詳細な説明】
【技術分野】
【０００１】
本考案は、足の指で握ることが出来る可逆性の凹凸を特徴とした、爪先立ちスリッパに関するものである。
【背景技術】
【０００２】
従来の爪先立ちスリッパは、爪先に接する部分が平坦、若しくは、傾斜する平面であり、足の指を意識的に運動させることが出来ない構造であった。
【特許文献１】特許公開２０００−２８７７０８
【特許文献２】特許公開２００５−３２９１９１
【特許文献３】特許公開２００５−３３４５９７
【考案の開示】
【考案が解決しようとする課題】
【０００３】
従来の爪先立ちスリッパには次のような問題点があった。
イ．ハネと呼ばれる構造で足の甲を固定すると足の指に力を入れ続けなくてもスリッパは落下しない為、必然的に足の指が運動不足になる。
ロ．爪先を乗せる部分が平面である為、足の指に力を入れることが困難となり、結果として足底筋群の慢性的な運動不足になる。
ハ．スリッパ自体に高さや角度を付けてしまうと、高齢者や障害者は転倒する危険性が高くなる。
本考案は、以上の問題を解決する為のものである。
【課題を解決するための手段】
【０００４】
ハネを取り除き、爪先が乗る大きさの可逆性物質（１）を用い、足の指で握ることが出来るような凹凸（２）を設ける。本考案は以上の構成からなる爪先用スリッパである。
【考案の効果】
【０００５】
本考案を使用することにより、足の指の運動不足に起因する、バランスの悪さ、姿勢の悪さ、足腰の弱さ、つまずき易さ、転倒し易さ、筋の吊り易さ、足腰の疲労し易さ、足腰の衰え易さ等を解消し、特許文献１、及び、特許文献２において列挙されている考案の効果を最大限に引き出すことができる利点がある。
【考案を実施するための最良の形態】
【０００６】
以下、本考案の実施の形態を説明する。
可逆性のあるスリッパ本体（１）に、同じく可逆性のある凹凸（２）を設ける。
以上が本考案の構造である。本考案を使用する時は、爪先をスリッパ本体（１）に乗せ、凹凸部（２）を足の指で握り歩行する。
【図面の簡単な説明】
【０００７】
【図１】本考案の斜視図
【図２】本考案の断面図
【図３】本考案の使用状態を示す斜視図
【符号の説明】
【０００８】
１    スリッパ本体
２    凹凸部
３    足
【図１】
0003120855.tif 000003
【図２】
0003120855.tif 000004
【図３】
0003120855.tif 000005
(57)【要約】【課題】道路の側溝の蓋などとして用いる格子形グレーチングとして、溶接作業が不要で、製作が簡単であるとともに軽量なものを提供する。【解決手段】平板部１３の裏部に、横（幅）方向の両端部間に等間隔をおいて、縦方向の長手方向にのびる複数の縦材形成用裏リブ１４を設けた長方形のアルミニウム押し出し型材１２の平板部１３を、長手方向に等間隔をおいた不用横延在部１５を切除して、長手方向に等間隔をおいた複数の横材形成用横延在部１６を残すことによって、格子形グレーチングを形成する。【選択図】図２
0003120815.tif 000002
【実用新案登録請求の範囲】
【請求項１】
方形の平板部の横方向の両端部間に、縦方向にのびる複数の縦材形成用裏リブを有するアルミニウム押し出し型材からなり、該アルミニウム押し出し型材の平板部は、縦方向に間隔をおいて不用横延在部を切除して、複数の横材形成用横延在部を残存させてなる、格子形グレーチング。
【請求項２】
アルミニウム押し出し型材の平板部の表面に、縦方向にのびる多数の小突条を設けてなる、請求項１記載の格子形グレーチング。
【考案の詳細な説明】
【技術分野】
【０００１】
この考案は、道路の側溝の蓋などとして用いる格子形グレーチングに関する。
【背景技術】
【０００２】
この種の格子形グレーチングとしては、直交してのびる縦材と横材を溶接した構造からなるものが慣用されている（例えば、特許文献１、２参照）。
【０００３】
しかしこの慣用の格子形グレーチングには、縦材と横材の溶接作業が必要であるため、製作コストが高いとともに、比較的重いため、その運搬や設置などの作業がきついという難点がある。
【特許文献１】特開２００４−１０８１２２号公報
【特許文献２】特開平８-２７８８１号公報
【考案の開示】
【考案が解決しようとする課題】
【０００４】
この考案は、慣用の格子形グレーチングに認められる上記のような難点に鑑み、溶接作業が不要で、製作が簡単であるとともに軽量な格子形グレーチングを提供することを主要な課題としている。
【課題を解決するための手段】
【０００５】
この考案によれば、上記の課題を解決するために、実用新案登録請求の範囲の請求項１に記載のように、方形の平板部の横方向の両端部間に、縦方向にのびる複数の縦材形成用裏リブを有するアルミニウム押し出し型材からなり、該アルミニウム押し出し型材の平板部は、縦方向に間隔をおいて不用横延在部を切除して、複数の横材形成用横延在部を残存させてなる、格子形グレーチングを提供する。
【０００６】
この請求項１に記載の格子形グレーチングにおいては、請求項２に記載のごとく、アルミニウム押し出し型材の平板部の表面に、縦方向にのびる多数の小突条を設けることが望ましい。
【考案の効果】
【０００７】
請求項１に記載のこの考案の格子形グレーチングは、アルミニウム押し出し型材の押し出し加工とともに、その平板部の縦方向に間隔をおいた複数の不用横延在部の切除という簡単な機械的な加工で製作することができるので、製作コストが低いとともに、アルミニウム製であるため、軽量で、運搬、設置などの作業を楽に行うことができる。
【０００８】
また請求項２に記載のアルミニウム押し出し型材の平板部の表面、従って格子形グレーチングの横材形成用横延在部上における多数の小突条の配設構成によれば、この格子形グレーチングの上を通行する際の横方向の滑りを防止することができる。
【考案を実施するための最良の形態】
【０００９】
図１はこの考案に係る格子形グレーチングの一実施形態を示したもので、この格子形グレーチング１１は、図２に示す平板部１３の裏部に横（幅）方向の両端部間に等間隔をおいて縦方向の長手方向に互いに平行にのびる複数の縦材形成用裏リブ１４を有する長方形のアルミニウム押し出し型材１２を押し出し加工し、このアルミニウム押し出し型材１２に対して、平面部１３の長手方向に等間隔をおいた不用横延在部１５を仮想線に沿って切除加工を施して、長手方向に等間隔をおいた複数の横材形成用横延在部１６を残すという形で製作する。
【００１０】
ここで、図３に示すように、アルミ二ウム押し出し型材１２は平板部１３の表面に、等間隔をおいて縦方向にのびる多数の三角状断面の小突条１７を有する形にすることにより、格子形グレーチング１１の横材形成用横延在部１６の表面を多数の小突条１７付きとすることができる。
【００１１】
この図示の形態においては、その構成上、安価に製作することができるとともに運搬や設置などの作業も楽である一方、通行時に横方向に滑る恐れがない。
【００１２】
この考案に係る格子形グレーチングは、このほか、種々の形態で実施することができるもので、上記に形態に限定されるものではない。
【図面の簡単な説明】
【００１３】
【図１】この考案に係る格子形グレーチングの一実施形態の斜視図である。
【図２】図１に示す実施形態の素材としてのアルミニウム押し出し型材の斜視図である。
【図３】図１に示す実施形態及び図２に示すアルミニウム押し出し型材の拡大部分側面図である。
【符号の説明】
【００１４】
１１  格子形グレーチング
１２  アルミニウム押し出し型材
１３  平板部
１４  縦材形成用裏リブ
１５  不用横延在部
１６  横材形成用横延在部
１７  小突条
【図１】
0003120815.tif 000003
【図２】
0003120815.tif 000004
【図３】
0003120815.tif 000005